(57)【要約】【課題】回転繰出機構を構成する、１つまたは複数の筆記体を収容する収容部を設けた摺動ケースを、回転操作体を回転することで回転可能な軸心方向に延びた傾斜面で構成されたカム部を有した回転カム内に配した構造の回転繰出式筆記具において、該回転繰出式筆記具に落下による等の衝撃を与えても、摺動ケースが回転カムから抜け出さないような構造とする。【解決手段】摺動ケース６を回転カム８内に挿入し、回転カム８の突起部１９に当接する頭部２０と摺動ケース６の係止部１０の雌ねじ部２１にねじ嵌合可能な雄ねじ部２３を有した固定部材２２を、突起部１９より後方に位置させて、固定部材２２の雄ねじ部２３と摺動ケース６の雌ねじ部１２をねじ嵌合し、固定部材２２の頭部２０を回転カム８の突起部１９に当接させて、摺動ケース６を回転カム８内に配する。【選択図】図１
2011255565.tif 000002
【特許請求の範囲】
【請求項１】
軸筒内に、１つまたは複数の筆記体を収容する収容部を有した摺動ケースを、回転操作体を回転することで回転可能な、軸心方向に延びた傾斜面で構成されたカム部を有した回転カム内に、摺動ケースの収容部の後方に設けた係止部と、回転カムの内壁面に設けた内方に突出したリング状または周状に１つまたは複数の突起部との間に設けた係止構造により摺動ケースが回転カム内から抜け出さないように配し、回転操作体を回転して回転カムを回転することで、摺動ケースの収容部に収容した筆記体の筆記先端部を軸筒の先端開口部より出没してなる回転繰出機構を備えた回転繰出式筆記具であって、前記係止構造が、回転カムの突起部より後方に、摺動ケースの係止部と連結する手段を設けた連結部と、前記回転カムの突起部に当接する頭部を有した固定部材を配して、連結部と摺動ケースの係止部を連結しかつ頭部を回転カムの突起部に当接した構造であることを特徴とする回転繰出式筆記具。
【請求項２】
前記摺動ケースの係止部と連結する手段が、摺動ケースの係止部の後端に設けたねじ部と、前記固定部材の連結部に設けたねじ部のねじ嵌合である、請求項１に記載の回転繰出式筆記具。
【請求項３】
前記摺動ケースの係止部と連結する手段が、摺動ケースの係止部と固定部材の連結部に形成した凸部と凹部との凹凸嵌合である、請求項１に記載の回転繰出式筆記具。
【発明の詳細な説明】
【技術分野】
【０００１】
本発明は、回転繰出機構を構成する、回転操作体を回転することで回転可能な傾斜面からなるカム部を設けた回転カムと、筆記体を収容する収容部を設けた摺動ケースとを有した回転繰出式筆記具に関する。
【背景技術】
【０００２】
回転操作体を回転することで軸筒に具設した回転繰出機構により、軸筒内に収容した筆記体の筆記先端部を軸筒の先端開口部から出没させる構造の回転繰出式筆記具において、１つまたは複数の筆記体を収容する収容部の後方に該収容部の外径より小径な係止部を設けた摺動ケースを、回転操作体を回転することで回転可能な傾斜面からなるカム部を有した回転カム内に、該回転カムの回転や前後動に対して連動して回転や前後動することなく配してなる構造のものは知られている。
【０００３】
従来の回転繰出式筆記具の構造について、図５を用いて詳述すると、従来の回転繰出式筆記具１０１は、例えば、軸筒１０２を、前軸１０２ａと回転操作体としての後軸１０２ｂとで構成する。図示してないが、前軸１０２ａの前端に先窄み状の先端部を設けた構造や前軸１０２ａと後軸の間に中間軸部を設けた構造のものもあるが、便宜上、以下の説明においては、軸筒１０２を前軸１０２ａと後軸１０２ｂとで構成した構造のものとして説明する。
【０００４】
後軸１０２ｂ内には、回転繰出機構を構成する回転カム１０３と摺動ケース１０４を配してあるが、軸心方向に延びた傾斜面（図示せず）で構成されたカム部１０５を有した回転カム１０３は、後軸１０２ｂ内に、該後軸１０２ｂに連動して回転可能に設けてる。なお、回転カム１０３は後軸１０２ｂの内壁面に一体に形成して設けても良いし、後軸１０２ｂとは別体で形成して設けても良いが、以下の説明においては、回転カム１０３を１つの部材として後軸１０２ｂ内に設けた構造として説明する。
【０００５】
回転カム１０３は、後端部１０３ｂに軸心方向に延びた係止溝１０６を設けて、後軸１０２ｂの後端部１０２ｂｂの側壁を内側に凹ませて形成した係止凸部１０７を係止することで、回転カム１０３が後軸１０２ｂに連動して回転可能にしてある。回転カム１０３は、該回転カム１０３の後方に配した、例えば、シャープペンシルユニットの筆記体１０８とボールペンレフィールの筆記体１０９を前記摺動ケース１０４内に収容した筆記具等では、消しゴム１１０を挿着した消しゴム保持部材１１１等と螺着するなどして、回転カム１０３の後端部１０３ｂを後軸１０２ｂの内壁面に当接させ、回転カム１０３が後軸１０２ｂに対して前後動しないように連接してある。
【０００６】
摺動ケース１０４は、前記筆記体１０８，１０９を収容する筆記体収容溝１１２を有する収容部１１３と、該収容部１１３の外径より小径な係止部１１４を有しており、該係止部１１４の後端には軸径方向に突出した係止突部１１５を設けてある。収容部１１３の前方（図５において左側）の先端筒部１１６には、前軸１０２ａの後端部１０２ａｂ内に圧入可能に形成した先端部１１７ａを有した連結管１１７を固着してあり、前記の先端部１１７ａを前軸１０２ａの後端に圧入状態で嵌着することで、前軸１０２ａと後軸１０２ｂを着脱自在に連接可能としてある。
【０００７】
摺動ケース１０４は、収容部１１３と係止部１１４を前記回転カム１０３内に挿入してあり、回転カム１０３の内壁面には、前記摺動ケース１０４の係止部１１４に設けた係止突部１１５に当接する内方に突出した突起部１１８を周状に１つまたは複数設けて、前記係止突部１１５と当接させてなる係止構造により、摺動ケース１０４を、回転カム１０３に対して連動して回転することなくかつ前進することなく、回転カム１０３から抜け出さないように配してある。
【０００８】
ところで、摺動ケース１０４は、回転カム１０３内に挿入した際に、回転カム１０３に設けた突起部１１８を摺動ケース１０４の係止部１１４に設けた係止突部１１５が乗越え可能に、前記係止突部１１８の形状を若干変形可能な形状にしたり、突起部１１８と係止突部１１５との寸法関係にする必要があり、係止突部１１５と突起部１１８との軸径方向の当接代を大きくとれないという実情がある。そのために、摺動ケース１０４を回転カム１０３内に組込む際に回転カム１０３の突起部１１８を削ってしまう危険性があり、突起部１１８が削られてしまった場合には、回転繰出式筆記具を落下した際の衝撃等により係止突部１１５と突起部１１８との当接が外れやすくなり、摺動ケース１０４が回転カム１００３から抜け出してしまい、前軸１０２ａと後軸１０２ｂが離脱してしまうという問題があった。
【先行技術文献】
【特許文献】
【０００９】
【特許文献１】特開昭６２−２９７１９９号公報
【発明の概要】
【発明が解決しようとする課題】
【００１０】
本発明は、軸筒内に、１つまたは複数の筆記体を収容する収容部を有した摺動ケースを、回転操作体を回転することで回転可能な、軸心方向に延びた傾斜面で構成されたカム部を有した回転カム内に配し、回転操作体を回転して回転カムを回転することで、摺動ケースの収容部に収容した筆記体の筆記先端部を軸筒の先端開口部より出没してなる回転繰出機構を備えた回転繰出式筆記具において、該回転繰出式筆記具に落下による等の衝撃を与えても、摺動ケースが回転カムから抜け出さないような構造とすることを目的とする。
【課題を解決するための手段】
【００１１】
本発明は、
「１．軸筒内に、１つまたは複数の筆記体を収容する収容部を有した摺動ケースを、回転操作体を回転することで回転可能な、軸心方向に延びた傾斜面で構成されたカム部を有した回転カム内に、摺動ケースの収容部の後方に設けた係止部と、回転カムの内壁面に設けた内方に突出したリング状または周状に１つまたは複数の突起部との間に設けた係止構造により摺動ケースが回転カム内から抜け出さないように配し、回転操作体を回転して回転カムを回転することで、摺動ケースの収容部に収容した筆記体の筆記先端部を軸筒の先端開口部より出没してなる回転繰出機構を備えた回転繰出式筆記具であって、前記係止構造が、回転カムの突起部より後方に、摺動ケースの係止部と連結する手段を設けた連結部と、前記回転カムの突起部に当接する頭部を有した固定部材を配して、連結部と摺動ケースの係止部を連結しかつ頭部を回転カムの突起部に当接した構造であることを特徴とする回転繰出式筆記具。
２．前記摺動ケースの係止部と連結する手段が、摺動ケースの係止部の後端に設けたねじ部と、前記固定部材の連結部に設けたねじ部のねじ嵌合である、前記１項に記載の回転繰出式筆記具。
３．前記摺動ケースの係止部と連結する手段が、摺動ケースの係止部と固定部材の連結部に形成した凸部と凹部との凹凸嵌合である、前記１項に記載の回転繰出式筆記具。」
である。
【００１２】
回転繰出式筆記具における回転操作体とは、該回転操作体を回転することにより直接あるいは間接的に回転カムを連動して回転するように配した、軸筒に連接して該軸筒の外方に露出した部材のことで、例えば、軸筒を前軸と後軸とで構成し、後軸を前軸に対して回転可能に連接して回転カムに直接あるいは間接的に連接した場合の後軸であったり、回転カムに直接あるいは間接的に連接して軸筒に対して回転可能に軸筒に配した場合の部材、例えば頭冠等である。
【００１３】
回転カムは、軸筒の内壁面に一体に形成して設けても良いし、回転カムとして軸筒と別体に形成して軸筒内に設けても良く、適宜選択すれば良い。
【発明の効果】
【００１４】
本発明の回転繰出式筆記具は前記したような構造なので、回転繰出式筆記具に落下による等の衝撃を与えても、摺動ケースが回転カムから抜け出してしまうことがない。
【図面の簡単な説明】
【００１５】
【図１】本発明の回転繰出式筆記具の実施例を示す、回転繰出式筆記具の要部の断面図である。
【図２】図１における摺動ケースの、上から見た状態の拡大平面図である。
【図３】図１における摺動ケースを、回転カムに組込む前の状態を示した図である。
【図４】本発明に係る摺動ケースの係止部と固定部材の連結部を連結する手段の、他の実施例を示す図である。
【図５】従来の回転繰出式筆記具の要部の断面図である。
【実施例】
【００１６】
本発明の実施例を図面を用いて説明する。
本実施では、便宜上、１つのシャープペンシルユニットの筆記体と２つのボールペンレフィルの筆記体を軸筒内に収容した回転繰出式の複合筆記具として説明するが、これに限定されるものではなく、軸筒内に、複数のボールペンレフィルの筆記体を収容した回転繰出式の多芯筆記具であっても良いし、あるいは、１つのシャープペンシルユニットまたはボールペンレフィルの筆記体を収容した回転繰出式の筆記具であっても良い。
【００１７】
図１〜図３に示す本発明の実施例の回転繰出式筆記具１は、軸筒２が前軸２ａと回転操作体としての後軸２ｂとで構成されている。
【００１８】
後軸２ｂの内部には、従来の回転繰出式筆記具と同様に、周方向にシャープペンシルユニットの筆記体３とボールペンレフィルの筆記体４とを各々収容する周方向において等間隔に３つの筆記体収容溝５を有した摺動ケース６と、内壁面に軸心方向に延びた傾斜面で構成されたカム部７を有した回転カム８を配してある。
【００１９】
前記摺動ケース６は、図２に示すように従来の回転繰出式筆記具における摺動ケースと同様に、筆記体収容溝５を有する収容部９の後方には該収容部９の外径より小径な係止部１０を連設してあり、該係止部１０は外径が大径な大径部１０ａと外径が大径部１０ａより小径な小径部１０ｂとで構成されている。係止部１０には、後端に開口した嵌合孔１１が設けてあり、内壁面には雌ねじ部１２を形成してある。本実施例においては、収容部９の前方（図１において左側）には、前軸２の後端内に挿入する段部１３を有した、収容部９の外径より大径で前軸２ａの後端の外径と略同径とした接続部１４を設けてあり、該接続部１４の前方には段部１３の外径より小径な先端筒部１５を形成してある。
【００２０】
摺動ケース６の先端筒部１５には、前軸２ａの後端部２ａｂ内に圧入可能に形成した先端部１６ａを有した連結管１６を固着してある。前記先端部１６ａには、図示してないが、対向する外側面に軸心方向に延びた突部を設けて、前軸の後端部２ａｂ内に圧入状態で嵌着可能としてあり、前軸２ａと後軸２ｂとが連結管１６を介して着脱自在に連接可能としてある。
【００２１】
回転カム８のカム部７の後方の内壁面は、内径を小径とした小径部１７として形成してあり、該小径部１７とカム部７とで段部１８が形成されている。従来の回転カムと同様に、小径部１７の先端（図１または図３において左側方向）には、内方に突出した突起部１９を周状に等間隔に３つ設けてある。
【００２２】
本実施例における摺動ケース６が回転カム８内から抜け出さないようにした係止構造は、図３に示すように、摺動ケース６を回転カム８内に挿入し、前記回転カム８の突起部１９に当接する頭部２０と摺動ケース６の係止部１０に連結する連結部２１とで構成された固定部材２２を、前記突起部１９より後方に位置させて、連結部２１を係止部１０の嵌合孔１１に挿入し、連結部２１に設けた摺動ケース６の係止部１０に形成した雌ねじ部１２にねじ嵌合可能な雄ねじ部２３を摺動ケース６の雌ねじ部１２をねじ嵌合して固定部材２２と摺動ケース６を連結し、固定部材２２の頭部２０を回転カム８の突起部１９に当接させて、摺動ケース６を回転カム８内に配するものである。なお、図３においては、摺動ケース６の先端筒部１５に固着した連結管１６は、便宜上省略してある。
【００２３】
次に、前記回転カム８内に摺動ケース６を取付けた状態で、回転カム８と摺動ケース６を後軸２ｂ内に挿入し、回転カム８を、該回転カム８の後方に配した消しゴム２４を挿着した消しゴム保持部材２５と、クリップ２６の脚部２６ａと金輪２７を介在して螺着かつ接着することで、回転カム８を後軸２ｂ内に固定する。回転カム８の後端部８ｂは後軸２ｂの内壁面に当接しているので、回転カム８が後軸２ｂ内を前後動することはない。また、従来の回転繰出式筆記具における回転カムと同様に、後軸２ｂの後端部２ｂｂの側壁を内側に凹ませて形成した係止凸部２８を回転カム８の後端部８ｂに形成した軸心方向に延びた係止溝２９に係止することで、回転カム８が後軸２ｂに連動して回転可能としている。なお、後軸２ｂの後端には頭冠３０を消しゴム保持部材２５に着脱自在に螺着して設けてある。
【００２４】
図４は、摺動ケース６の係止部１０と固定部材２２の連結部２１を連結する手段の、他の実施例を示すものである。固定部材２２の連結部２１の周側面の対向した２箇所には、軸心方向において先端側（図４において左側方向）を先窄み状にした三角形状３１ａと後方に細幅の長方形状３１ｂを連設した矢印形状の軸径方向に突出した凸部３１を設けてある。
【００２５】
摺動ケース６の係止部１０には、前記実施例と同様に後端に開口した嵌合孔１１が設けてあり、周側面の対向した２箇所には、嵌合孔１１の内外を貫通しかつ後端に開口した、軸心方向に延びた長方形状の略中央部に周方向幅が大径の大径部３２ａを有した＋字形状の凹部３２を設けてある。
【００２６】
摺動ケース６を回転カム８内に挿入し、固定部材２２を前記実施例と同様に配して、連結部２１を係止部１０の嵌合孔１１に挿入し、連結部２１に設けた凸部３１を前記摺動ケース６の凹部３２に嵌合し、固定部材２２の頭部２０を回転カム８の突起部１９に当接して固定部材２２と摺動ケース６を連結し、摺動ケース６を回転カム８内に配するものである。摺動ケース６は、凹部３２の大径部３２ａの後方側の縁部３２ａｂと、固定部材２２の連結部２１に形成した凸部３１の三角形状３１ａの後方側の縁部３１ａｂとが当接するので、摺動ケース６が回転カム８内から抜け出すことがない。なお、摺動ケース６を回転カム８内に挿入する際は、図示してないが、摺動ケース６の係止部１０の後端を回転カム８の突起部１９より後方に突出させた状態で、連結部２１を係止部１０の嵌合孔１１に挿入すれば、連結部２１に設けた凸部３１の先端は先窄み状なので、摺動ケース６の凹状の孔３２は外方に徐々に拡開するので、固定部材２２は摺動ケースに６に対して前進可能となり、凸部３１は凹状の孔３２に嵌合する。
【００２７】
本実施例の回転繰出式筆記具は、軸筒２内にシャープペンシルユニットの筆記体３を有した構造なので、図示していないが、従来の回転繰出式筆記具に見られるように、シャープペンシルユニットの筆記先端を突出してシャープペンシルユニット内に収容した鉛芯を繰出すために、前軸２ａに対して後軸２ｂを押圧した際に前軸２ａに対して後軸２ｂが前進可能に、図１、図２および図４に示すように、摺動ケース６の係止部１０の大径部１０ａに切欠部３３を設けて、回転カム８の突起部１９が前記大径部１０ａに当接して後軸２ｂの前進を妨げないようにしてある。
【００２８】
従来の回転繰出式筆記具と同様に、各々の筆記体３、４は、コイルスプリング３４により後方に弾発して収容してあり、各々の筆記体３、４の後端部に装着した摺動体３５に設けたカム係止突起３６を、回転カム８のカム部７に押圧状態で当接させてあり、後軸２ｂを前軸２ａに対して回転して回転カム８を回転させることで、各々の筆記体３、４の摺動体３５に設けたカム係止突起３６がカム部７に沿って前後動することで、各々の筆記体３、４の筆記先端部が軸筒２の先端開口部（図示せず）より出没する。
【産業上の利用可能性】
【００２９】
筆記体を収容する摺動ケースと回転カムを有する回転繰出機構を有した回転繰出式筆記具において、落下等による衝撃を軸筒に与えても、摺動ケースが回転カムから離脱しないように取付けたい場合に利用する。
【符号の説明】
【００３０】
１  回転繰出式筆記具
２  軸筒
３、４  筆記体
６  摺動ケース
８  回転カム
９  収容部
１０  係止部
１２  雌ねじ部
１９  突起部
２０  頭部
２１  連結部
２２  固定部材
２３  雄ねじ部
３１  凸部
３２  凹部
【図１】
2011255565.tif 000003
【図２】
2011255565.tif 000004
【図３】
2011255565.tif 000005
【図４】
2011255565.tif 000006
【図５】
2011255565.tif 000007